(57)【要約】【課題】放送波を正常に中継伝送する。【解決手段】複数のセグメント中の規定セグメントに放送データを載せた放送波を中継する中継機において、中継機が受信する放送波は、同じ放送データが０セグメントと第１セグメントにそれぞれ載せられており、１次中継は第１セグメント受信し、０セグメントと、第２セグメント、第３セグメントまたは第４セグメントとを中継放送し、前段中継放送局のＩＤと前段と自局のＧＰＳ位置情報から送信セグ決定し、２次中継は、第２セグメント受信し０セグメントと第３セグメントまたは０セグメントと第４セグメントを中継放送し、第３セグメント受信し０セグメントと第２セグメントと中継放送または０セグメントと第４セグメントを中継放送し、第４セグメント受信し０セグメントと第２セグメントまたは０セグメントと第３セグメントを中継放送していく。【選択図】図１
2014011563.tif 000002
【特許請求の範囲】
【請求項１】
複数のセグメント中の規定の部分セグメントに放送データを載せた放送波を中継する中継機において、中継機が受信する放送波は、同じ放送データが規定の部分セグメントと第１の部分セグメントにそれぞれ載せられており、１次中継は前記第１の部分セグメントを受信し、前記規定の部分セグメントと、第２の部分セグメント、第３の部分セグメントまたは第４の部分セグメントとに載せ換えて中継放送し、前段中継放送局のＩＤと前段と自局のＧＰＳ位置情報から送信の部分セグメントを決定し、２次中継は、前記第２の部分セグメントを受信した中継機は前記規定の部分セグメントと前記第３の部分セグメントまたは前記規定の部分セグメントと前記第４の部分セグメントとに載せ換えて中継放送し、前記第３の部分セグメントを受信した中継機は前記規定の部分セグメントと前記第２の部分セグメントとに載せ換えて中継放送または前記規定の部分セグメントと前記第４の部分セグメントとに載せ換えて中継放送し、前記第４の部分セグメントを受信した中継機は前記規定の部分セグメントと前記第２の部分セグメントまたは前記規定の部分セグメントと前記第３の部分セグメントとに載せ換えて中継放送していくことを特徴とする放送波の中継機。
【請求項２】
請求項１の中継機において、前記放送波のチャンネル帯域が８ＭＨｚであり、該８ＭＨｚ帯域を１４分割し５７１ｋＨｚで１３セグメントを活用し、２セグメントでコンテンツを伝送する放送を、５組の２セグメントとに載せ換えて２次元中継することを特徴とする放送波の中継機。
【請求項３】
放送の伝送チャンネル内の５以上の複数の全セグメント中の規定の該全セグメント数の１／５以下の部分セグメントに放送データを載せた放送波を中継する中継機において、中継機が受信する放送波は、同じ放送データが規定の該全セグメント数の１／５以下の部分セグメントと当該規定の該全セグメント数の１／５以下の部分セグメント以外の第１の該全セグメント数の１／５以下の部分セグメントとにそれぞれ載せられており、当該中継機は、受信する放送波から規定の該全セグメント数の１／５以下の部分セグメントの放送データを除去し、当該受信する放送波の第１の該全セグメント数の１／５以下の部分セグメントの放送データを、規定の該全セグメント数の１／５以下の部分セグメントと当該規定の該全セグメント数の１／５以下の部分セグメント及び第１の該全セグメント数の１／５以下の部分セグメント以外の第２の該全セグメント数の１／５以下の部分セグメントとにそれぞれの載せ換えた放送波を送信することを特徴とする放送波の中継機。
【請求項４】
請求項１乃至請求項３のいずれかの中継機を用いた放送波の中継放送システムにおいて、
前記放送波チャンネルには５Ｎ以上のセグメントがあり、Ｎセグメント放送を５組の部分セグメントを用いて中継放送し、
前段中継放送局のＩＤと前段と自局のＧＰＳ位置情報から送信セグメントを決定し、衛星放送または無給電海底光ケーブル伝送を受信し、規定の部分セグメントと第１の部分セグメントを中継放送し、
１次中継では円周の約１２０度間隔に上記の中継機を配置し、
前記第１の部分セグメント受信した中継機は前段より自局が北方向なら前記規定の部分セグメントと第２の部分セグメントとに載せ換えて中継放送し、
前記第１の部分セグメント受信した中継機は前段より自局が東方向なら前記規定の部分セグメントと第３の部分セグメントとに載せ換えて中継放送し、
前記第１の部分セグメント受信した中継機は前段より自局が西方向なら前記規定の部分セグメントと第４の部分セグメントとに載せ換えて中継放送し、
２次中継では、円周の約３０度オフセットさせ約６０度間隔に上記の中継機を配置し、
前記第２の部分セグメント受信した中継機は前段より自局が西方向なら前記規定の部分セグメントと前記第３の部分セグメントとに載せ換えて中継放送し、
前記第２の部分セグメント受信した中継機は前段より自局が東方向なら前記規定の部分セグメントと前記第４の部分セグメントとに載せ換えて中継放送し、
前記第３の部分セグメント受信した中継機は前段より自局が北方向なら前記規定の部分セグメントと前記第２の部分セグメントとに載せ換えて中継放送し、
前記第３の部分セグメント受信した中継機は前段より自局が南方向なら前記規定の部分セグメントと前記第４の部分セグメントとに載せ換えて中継放送し、
前記第４の部分セグメント受信した中継機は前段より自局が南方向なら前記規定の部分セグメントと前記第２の部分セグメントとに載せ換えて中継放送し、
前記第４の部分セグメント受信した中継機は前段より自局が北方向なら前記規定の部分セグメントと前記第３の部分セグメントとに載せ換えて中継放送していくことを特徴とする放送波の中継放送システム、
または前記の放送波の中継放送システムの任意方向を軸とする反転と０度から３６０度までの任意角度での回転で表せる放送波の中継放送を行うことを特徴とする放送波の中継放送システム。
【請求項５】
請求項４の放送波の中継放送システムにおいて、
３次中継では、円周の約１５度オフセットさせ約３０度間隔に上記の中継機を配置し、
上記第３の部分セグメント受信した中継機は前段が北東方向で前段より自局が西方向なら上記規定の部分セグメントと上記第１の部分セグメントとに載せ換えて中継放送し、
上記第３の部分セグメント受信した中継機は前段が北東方向で前段より自局が東方向なら上記規定の部分セグメントと上記第２の部分セグメントとに載せ換えて中継放送し、
上記第４の部分セグメント受信した中継機は前段が東方向で前段より自局が北方向なら上記規定の部分セグメントと上記第３の部分セグメントとに載せ換えて中継放送し、
上記第４の部分セグメント受信した中継機は前段が東方向で前段より自局が南方向なら上記規定の部分セグメントと上記第１の部分セグメントとに載せ換えて中継放送し、
上記第２の部分セグメント受信した中継機は前段が南東方向で前段より自局が東方向なら上記規定の部分セグメントと上記第４の部分セグメントとに載せ換えて中継放送し、
上記第２の部分セグメント受信した中継機は前段が南東方向で前段より自局が西方向なら上記規定の部分セグメントと上記第３の部分セグメントとに載せ換えて中継放送し、
上記第３の部分セグメント受信した中継機は前段が南西方向で前段より自局が東方向なら上記規定の部分セグメントと上記第１の部分セグメントとに載せ換えて中継放送し、
上記第３の部分セグメント受信した中継機は前段が南西方向で前段より自局が西方向なら規定の部分セグメントと第２の部分セグメントとに載せ換えて中継放送し、
第３の部分セグメント受信した中継機は前段が北東方向で前段より自局が西方向なら上記規定の部分セグメントと上記第１の部分セグメントとに載せ換えて中継放送し、
上記第３の部分セグメント受信した中継機は前段が北東方向で前段より自局が東方向なら上記規定の部分セグメントと上記第２の部分セグメントとに載せ換えて中継放送し、
上記第４の部分セグメント受信した中継機は前段が東方向で前段より自局が北方向なら上記規定の部分セグメントと上記第３の部分セグメントとに載せ換えて中継放送し、
上記第４の部分セグメント受信した中継機は前段が東方向で前段より自局が南方向なら上記規定の部分セグメントと上記第１の部分セグメントとに載せ換えて中継放送していくことを特徴とする放送波の中継放送システム、
または前記の放送波の中継放送システムの任意方向を軸とする反転と０度から３６０度までの任意角度での回転で表せる放送波の中継放送を行うことを特徴とする放送波の中継放送システム。
【請求項６】
４Ｎ（Ｎは自然数）以上のセグメント中の規定のＮセグメントに放送データを載せた放送波を中継する中継機において、中継機が受信する放送波は、同じ放送データが規定のＮセグメントと第１のＮセグメントにそれぞれ載せられており、１次中継は前記第１のＮセグメントを受信し、前記規定のＮセグメントと、第２のＮセグメントまたは第３のＮセグメントとに載せ換えて中継放送し、前段中継放送局のＩＤと前段と自局のＧＰＳ位置情報から送信セグメントを決定し、２次中継は、前記第２のＮセグメントを受信した中継機は前記規定のＮセグメントと前記第３のＮセグメントまたは前記規定のＮセグメントと前記第４のＮセグメントとに載せ換えて中継放送し、前記第３のＮセグメントを受信した中継機は前記規定のＮセグメントと前記第２のＮセグメントとに載せ換えて中継放送または前記規定のＮセグメントと前記第４のＮセグメントとに載せ換えて中継放送し、折れ線状に中継放送していくことを特徴とする放送波の中継システム。
【発明の詳細な説明】
【技術分野】
【０００１】
本発明は、規定されたセグメント（周波数）に放送データを載せた放送波を中継する、比較的広いエリア（例えば、インドネシアの島）をカバーする中継放送システムに用いて好適な技術に関する。
【背景技術】
【０００２】
ワンセグ放送は、地上デジタル放送ISDB-T（Integrated  Services  Digital  Broadcasting-Terrestrial）の１種で、伝送チャンネル内の特定の周波数（セグメント）に放送データを載せた放送波を伝送する部分セグメント放送の１種の方式であり、携帯端末向け放送等に利用されているワンセグ放送や、３セグ（３セグメント）の所謂デジタルラジオ放送（地上デジタル音声放送）や４セグメントのＳＤＴＶ（Standard  Definition  TeleVision）教育テレビ放送のなど、放送の伝送チャンネル内の全セグメント数の部分セグメントで放送する方式を、以下部分セグメント放送と称する。
また、ワンセグ放送等の部分セグメント放送は、ＳＦＮ（Single  Frequency  Network）方式による実施や、微小な送信電力で比較的小さなエリアをカバーする放送システム（エリア放送）による実施に適しており、今後の更なる利用拡大が期待されている。
例えば、地上デジタル放送のカバーエリアを構築する際に、ＳＦＮ環境下で広いエリアを構築しようとすると、放送波の多段中継を行なってＳＦＮ環境を構築する必要がある。
図１１に示すように、地上デジタル放送は、送信所（親局）から発射された放送波を幾つかの中継送信所で中継して伝送しており、送信所間の安定した電波による多段中継が行い易い。
【０００３】
しかしながら、地上デジタル放送において、送信所（親局、上位局）や中継送信所（中継局）が都市部や山間部にある場合には、図１２に示すように、都市部の車の往来やビルや山などによる電波反射が多く、放送波の多段中継によるＳＦＮ環境の構築は難しい。例えば、地上デジタル放送の送信所で用いる回り込みキャンセラも、電波反射の影響による放送波の受信信号レベル変動や、マルチパス波の数やＤ／Ｕ比の変動が激しく、回り込み波を安定的に継続してキャンセルして、後段に放送波信号（再送信波）を伝送することは難しい。
【０００４】
ここで、地上デジタル放送のセグメントの概念について説明する。
図１３に示すように、地上デジタル放送のチャンネル（図示の例では、各６ＭＨｚを１４分割した内の１３セグメント）内において、ワンセグ放送波は放送データを１つのセグメント（セグメント番号０）に載せて方法波を発射し、放送サービスを行っている。ワンセグ放送の受信者は、セグメント番号０の放送波を受信し、映像、音声、データを受信している。
このような地上デジタル放送のワンセグ放送サービスを行う場合であっても、上記と同様に、都市部や山間部などにおいて安定的にＳＦＮ環境下で多段中継を行うことが難しい。
【０００５】
特許文献１には、ワンセグの放送方式を利用して微小な送信電力で特定のエリアをカバーする放送システム（エリア放送）では、サービスエリア内に不感地が生じ易いという問題を解決するために、使用可能な送信周波数帯域の他の可能な送信周波数帯域部分においても同じ内容の信号を同時に送信することで、所謂周波数ダイバーシチにより、エリア放送における不感地を解消あるいは低減することができる放送システムが提案されている。
【０００６】
特許文献２には、複数の送信機が同一のチャンネルの異なるセグメントを使用してＯＦＤＭ変調方式により信号を無線送信する場合、受信機での受信特性を良好にするために、複数の送信機のうちの１台以上の送信機では、受信手段が外部からの所定の信号を受信し、送信タイミング制御手段が受信手段により受信された信号に基づくタイミングでＯＦＤＭ変調信号の送信タイミングを制御する送信システムが提案されている。
【０００７】
特許文献３には、例えば地上デジタル放送システムのエリア放送において、入力信号に基づいて出力するセグメント（周波数）を決定することができる送信機を提供するために、チャンネル検出手段が、入力された放送のための信号に含まれるチャンネルを特定する情報に基づいて、当該チャンネルを検出し、セグメント検出手段が、入力された放送のための信号に含まれるセグメントを特定する情報に基づいて、当該セグメントを検出し、変調信号生成手段が、チャンネル検出手段により検出されたチャンネルに設けられる複数のセグメントの中でセグメント検出手段により検出されたセグメントの位置に入力された放送のための信号に含まれる放送のためのデータを載せた変調信号を生成し、そして、変調信号生成手段により生成された変調信号を出力する送信機が提案されている。
【０００８】
特許文献４には、例えば地上デジタル放送システムのエリア放送において、空中の周波数別の電波使用状況に基づいて出力するセグメント（周波数）を決定することができる送信機を提供するために、セグメント検出手段が、無線により受信された電波の周波数領域対信号レベルの関係に基づいて、送信に使用するための空き周波数領域に対応するセグメントを検出し、送信信号生成手段が、セグメント検出手段により検出されたセグメントの位置に入力された放送のための信号に含まれる放送のためのデータを載せた送信信号を生成し、そして、送信信号生成手段により生成された送信信号を出力する送信機が提案されている。
【０００９】
特許文献５には、エリア放送を広い範囲で受信可能とするために、所定地域に共通の中央セグメントの地上デジタル放送電波を送信する第１の送信機と、所定地域の部分に周辺セグメントの地上デジタル放送電波を送信する電波を送信する他の送信機とを備え、中央セグメント及び中央セグメントに隣接する周辺セグメントの送信点配置、送信電界、再送信電界、周波数チャンネル間隔、送信アンテナ高さ、送信アンテナ指向性、送信位相同期、周波数セグメント間隔、送信電界伝搬性の少なくとも一つを制御する、地上デジタル放送電波の前記所定地域の地上付近での中央セグメントの受信電界から上記周辺セグメントの送信電界を離す手段を有する放送システムが提案されている。
【００１０】
特許文献６には、放送素材伝送の受信追尾のために、受信基地局の回転架台をＧＰＳ追尾してから電界追尾し、受信電界追尾の誤差が角度1度以上または引き込み範囲以上または受信電界が低い場合はＧＰＳ追尾に戻る受信追尾システムが提案されている。
【００１１】
上記のように、ワンセグ放送方式等の部分セグメント放送における中継伝送では、電波反射の影響などによる回り込み波を安定的に継続してキャンセルすることが困難であり、これによって、後段への放送波信号の伝送に支障が生じてしまう場合がある。
具体的には、例えばワンセグ放送方式では、中継送信所（中継機）では、セグメント番号０のセグメントに放送データを載せた放送波を受信し、この放送波を再度中継送信するが、当該中継送信した放送波が回り込みによって同じ中継送信所で受信されてしまうと、時間差をもった放送データが干渉することとなって放送波を正常に伝送することが困難となってしまう。
空きセグメント検出、特に複数空きセグメントの検出と送信する複数セグメントの決定は、回線設計と設置精度が不充分ではフェージングやEスポット等で不安定になる可能性がある。
【先行技術文献】
【特許文献】
【００１２】
【特許文献１】特開２０１０−１１８９０３号公報
【特許文献２】特開２０１０−１５４４１６号公報
【特許文献３】特開２０１０−６２８１１号公報
【特許文献４】特開２０１０−６２８０９号公報
【特許文献５】特開２００９−２１２５７７号公報
【特許文献６】特開２００５−９４６２５号公報
【発明の概要】
【発明が解決しようとする課題】
【００１３】
本発明は、回り込みによる影響を防止することにより、放送波を正常に中継伝送することができる中継放送システムを提供することを目的としている。
【課題を解決するための手段】
【００１４】
本発明は、（自動セグメント設定の２次元中継で島内に中継するために、）複数のセグメント中の規定（の中央）の部分セグメントに放送データを載せた放送波を中継する中継機において、中継機が受信する放送波は、同じ放送データが規定（の中央）の部分セグメントと第１の部分セグメントにそれぞれ載せられており、１次中継は前記第１の部分セグメントを受信し、前記規定の部分セグメントと、第２の部分セグメント、第３の部分セグメントまたは第４の部分セグメントとに載せ換えて中継放送し、前段中継放送局のＩＤと前段と自局のＧＰＳ位置情報から送信の部分セグメントを決定し、２次中継は、前記第２の部分セグメントを受信した中継機は前記規定（の中央）の部分セグメントと前記第３の部分セグメントまたは前記規定（の中央）の部分セグメントと前記第４の部分セグメントとに載せ換えて中継放送し、前記第３の部分セグメントを受信した中継機は前記規定（の中央）の部分セグメントと前記第２の部分セグメントとに載せ換えて中継放送または前記規定（の中央）の部分セグメントと前記第４の部分セグメントとに載せ換えて中継放送し、前記第４の部分セグメントを受信した中継機は前記規定（の中央）の部分セグメントと前記第２の部分セグメントまたは前記規定の部分セグメントと前記第３の部分セグメントとに載せ換えて中継放送していく。
また、（日本等の６ＭＨｚ帯域地上放送チャンネルと異なる、インドネシア等の８ＭＨｚ帯域地上放送チャンネルを活用し、１０８０／５０ｉをスレートＰＣ（や将来の省電力受像機）で受信するために、）上記の中継機において、前記放送波のチャンネル帯域が８ＭＨｚであり、該８ＭＨｚ帯域を１４分割し５７１ｋＨｚで１３セグメントを活用し、２（ヶまたは２つの）セグメントでコンテンツを伝送する放送を、５組の２（ヶまたは２つの）セグメントとに載せ換えて２次元中継する。
【００１５】
また、本発明は、放送の伝送チャンネル内の５以上の複数の全セグメント中の規定の該全セグメント数の１／５以下の部分セグメントに放送データを載せた放送波を中継する中継機において、中継機が受信する放送波は、同じ放送データが規定の該全セグメント数の１／５以下の部分セグメントと当該規定の該全セグメント数の１／５以下の部分セグメント以外の第１の該全セグメント数の１／５以下の部分セグメントとにそれぞれ載せられており、当該中継機は、受信する放送波から規定の該全セグメント数の１／５以下の部分セグメントの放送データを除去し、当該受信する放送波の第１の該全セグメント数の１／５以下の部分セグメントの放送データを、規定の該全セグメント数の１／５以下の部分セグメントと当該規定の該全セグメント数の１／５以下の部分セグメント及び第１の該全セグメント数の１／５以下の部分セグメント以外の第２の該全セグメント数の１／５以下の部分セグメントとにそれぞれの載せ換えた放送波を送信する。
具体的には、放送の伝送チャンネル内の１３セグメント中１／５以下の２セグメントに放送データを載せた放送波を中継する中継機において、（図1３、図1４または図1５の様に、）中継機が受信する放送波は、同じ放送データが規定（の中央）の２セグメントと第１の２セグメントにそれぞれ載せられており、１次中継は前記第１の２セグメント（図２のf1）を受信し、前記規定（の中央）の２セグメント（図２のf0）と、第２の２セグメント、（図２のf2）第３の２セグメント（図２のf3）または第４の２セグメントとに載せ換えて中継放送し、前段中継放送局のＩＤと前段と自局のＧＰＳ位置情報から送信の２セグメントを決定し、２次中継は、前記第２の２セグメント（図２のf2）を受信した中継機は前記規定（の中央）の２セグメント（図２のf0）と前記第３の２セグメント（図２のf3）または前記規定（の中央）の２セグメント（図２のf0）と前記第４の２セグメントとに載せ換えて中継放送し、前記第３の２セグメント（図２のf3）を受信した中継機は前記規定（の中央）の２セグメント（図２のf0）と前記第２の２セグメント（図２のf2）を中継放送または前記規定（の中央）の２セグメント（図２のf0）と前記第４の２セグメントとに載せ換えて中継放送し、前記第４の２セグメントを受信した中継機は前記規定（の中央）の２セグメント（図２のf0）と前記第２の２セグメント（図２のf2）または前記規定（の中央）の２セグメント（図２のf0）と前記第３の２セグメント（図２のf3）とに載せ換えて中継放送していく。
【００１６】
また、（マルチメディア放送の207.5〜222MHzまたは90〜108MHzの伝送チャンネル内の３２セグメントまたは４２セグメント等の）１５以上のセグメント中１／５以下の３，４，５または６セグメントに放送データを載せた放送波を中継する中継機において、（図1６の様に、）中継機が受信する放送波は、同じ放送データが規定の３，４，５または６セグメント（図２のf0）と当該３，４，５または６セグメント以外の第１の３，４，５または６セグメント（図1のf1）とにそれぞれ載せられており、当該中継機は、受信する放送波から規定の３または４セグメント（図２のf0）の放送データを除去し、当該受信する放送波の第１の３，４，５または６セグメント（図２のf1）の放送データを、規定の３，４，５または６セグメント（図２のf0）と前記第１の３，４，５または６セグメント（図２のf1）以外の第２の３，４，５または６セグメント（図２のf2）と、規定３，４，５または６セグメント（図２のf0）と前記第１の３，４，５または６セグメント（図２のf1）と前記第２の３，４，５または６セグメント（図２のf2）以外の第３の３，４，５または６セグメント（図２のf3）とにそれぞれの載せ換えた放送波を送信する。
【００１７】
また、（詳細な回線設計を不要とする自動セグメント設定の２次元中継の為に、）上記ののいずれかの中継機を用いた放送波の中継放送システムにおいて、前記放送波チャンネルには５Ｎ（Ｎは自然数）以上のセグメントがあり、Ｎセグメント放送を５組の部分セグメントを用いて中継放送し、前段中継放送局のＩＤと前段と自局のＧＰＳ位置情報から送信セグメントを決定し、衛星放送または無給電海底光ケーブル伝送を受信し、規定（の中央）の部分セグメントと第１の部分セグメントを中継放送し、（図1７の様に、）１次中継では円周の約１２０度間隔に上記の中継機を配置し、前記第１の部分セグメント受信した中継機は前段より自局が北方向なら前記規定（の中央）の部分セグメントと第２の部分セグメントとに載せ換えて中継放送し、前記第１の部分セグメント受信した中継機は前段より自局が東方向なら前記規定（の中央）の部分セグメントと第３の部分セグメントとに載せ換えて中継放送し、前記第１の部分セグメント受信した中継機は前段より自局が西方向なら前記規定（の中央）の部分セグメントと第４の部分セグメントとに載せ換えて中継放送し、２次中継では、円周の約３０度オフセットさせ約６０度間隔に上記の中継機を配置し、前記第２の部分セグメント受信した中継機は前段より自局が西方向なら前記規定（の中央）の部分セグメントと前記第３の部分セグメントとに載せ換えて中継放送し、前記第２の部分セグメント受信した中継機は前段より自局が東方向なら前記規定（の中央）の部分セグメントと前記第４の部分セグメントとに載せ換えて中継放送し、前記第３の部分セグメント受信した中継機は前段より自局が北方向なら前記規定（の中央）の部分セグメントと第２の部分セグメントとに載せ換えて中継放送し、第３の部分セグメント受信した中継機は前段より自局が南方向なら規定（の中央）の部分セグメントと第４の部分セグメントとに載せ換えて中継放送し、前記第４の部分セグメント受信した中継機は前段より自局が南方向なら前記規定（の中央）の部分セグメントと前記第２の部分セグメントとに載せ換えて中継放送し、前記第４の部分セグメント受信した中継機は前段より自局が北方向なら前記規定（の中央）の部分セグメントと前記第３の部分セグメントとに載せ換えて中継放送していく放送波の中継放送システム、または前記の放送波の中継放送システムの任意方向を軸とする反転と０度から３６０度までの任意角度での回転で表せる放送波の中継放送を行うことを特徴とする放送波の中継放送システムである。
【００１８】
また、本発明は、上記の放送波の中継放送システムにおいて、（図1７の様に、）３次中継では、円周の約１５度オフセットさせ約３０度間隔に上記の中継機を配置し、上記第３の部分セグメント受信した中継機は前段が北東方向で前段より自局が西方向なら上記規定（の中央）の部分セグメントと上記第１の部分セグとに載せ換えて中継放送し、上記第３セグメント受信した中継機は前段が北東方向で前段より自局が東方向なら上記規定（の中央）の部分セグメントと上記第２セグメントとに載せ換えて中継放送し、上記第４の部分セグメント受信した中継機は前段が東方向で前段より自局が北方向なら上記規定（の中央）の部分セグメントと上記第３セグとに載せ換えて中継放送し、上記第４の部分セグメント受信した中継機は前段が東方向で前段より自局が南方向なら上記規定（の中央）の部分セグメントと上記第１の部分セグメントとに載せ換えて中継放送し、上記第２の部分セグメント受信した中継機は前段が南東方向で前段より自局が東方向なら上記規定（の中央）の部分セグメントと上記第４の部分セグとに載せ換えて中継放送し、上記第２の部分セグメント受信した中継機は前段が南東方向で前段より自局が西方向なら上記規定（の中央）の部分セグメントと上記第３の部分セグメントとに載せ換えて中継放送し、上記第３の部分セグメント受信した中継機は前段が南西方向で前段より自局が東方向なら上記規定（の中央）の部分セグメントと上記第１の部分セグメントとに載せ換えて中継放送し、上記第３の部分セグメント受信した中継機は前段が南西方向で前段より自局が西方向なら規定（の中央）の部分セグメントと第２の部分セグメントと中継放送し、第３の部分セグメント受信した中継機は前段が北東方向で前段より自局が西方向なら上記規定（の中央）の部分セグメントと上記第１の部分セグメントとに載せ換えて中継放送し、上記第３の部分セグメント受信した中継機は前段が北東方向で前段より自局が東方向なら上記規定（の中央）の部分セグメントと上記第２の部分セグメントとに載せ換えて中継放送し、上記第４の部分セグメント受信した中継機は前段が東方向で前段より自局が北方向なら上記規定（の中央）の部分セグメントと上記第３の部分セグメントとに載せ換えて中継放送し、上記第４の部分セグメント受信した中継機は前段が東方向で前段より自局が南方向なら上記規定（の中央）の部分セグメントと上記第１の部分セグメントとに載せ換えて中継放送していく放送波の中継放送システム、または前記の放送波の中継放送システムの任意方向を軸とする反転と０度から３６０度までの任意角度での回転で表せる放送波の中継放送を行うことを特徴とする放送波の中継放送システムである。
【００１９】
さらに、４Ｎ（Ｎは自然数）以上のセグメント中の規定のＮセグメントに放送データを載せた放送波を中継する中継機において、中継機が受信する放送波は、同じ放送データが規定のＮセグメントと第１のＮセグメントにそれぞれ載せられており、１次中継は前記第１のＮセグメントを受信し、前記規定のＮセグメントと、第２のＮセグメントまたは第３のＮセグメントとに載せ換えて中継放送し、前段中継放送局のＩＤと前段と自局のＧＰＳ位置情報から送信セグメントを決定し、２次中継は、前記第２のＮセグメントを受信した中継機は前記規定のＮセグメントと前記第３のＮセグメントまたは前記規定のＮセグメントと前記第４のＮセグメントとに載せ換えて中継放送し、前記第３のＮセグメントを受信した中継機は前記規定のＮセグメントと前記第２のＮセグメントを中継放送または前記規定のＮセグメントと前記第４のＮセグメントとに載せ換えて中継放送し、折れ線状に中継放送していく。
具体的には、放送の伝送チャンネル内の１３セグメント中１／４以下の３セグメントに放送データを載せた放送波を中継する中継機において、（図1８または図１９のように、）中継機が受信する放送波は、同じ放送データが規定の３セグメント（図２のf0）と当該３セグメント以外の第１の３セグメント（図２のf1）とにそれぞれ載せられており、当該中継機は、受信する放送波から規定の３セグメント（図２のf0）の放送データを除去し、当該受信する放送波の第１の３セグメント（図２のf1）の放送データを、規定の３セグメント（図２のf0）と前記第１の３セグメント（図２のf1）以外の第２の３セグメント（図２のf2）とにそれぞれの載せ換えた放送波を送信する。
【００２０】
また、マルチメディア放送の207.5〜222MHzまたは90〜108MHzの伝送チャンネル内の３２セグメントまたは４２セグメント中１／４以下の３，４，５または６セグメントに放送データを載せた放送波を中継する中継機において、（図1６のように、）中継機が受信する放送波は、同じ放送データが規定の３，４，５または６セグメント（図２のf0）と当該３，４，５または６セグメント以外の第１の３，４，５または６セグメント（図２のf1）とにそれぞれ載せられており、当該中継機は、受信する放送波から規定の３または４セグメント（図２のf0）の放送データを除去し、当該受信する放送波の第１の３，４，５または６セグメント（図２のf1）の放送データを、規定の３，４，５または６セグメント（図２のf0）と前記第１の３，４，５または６セグメント（図２のf1）以外の第２の３，４，５または６セグメント（図２のf2）と、規定３，４，５または６セグメント（図２のf0）と前記第１の３，４，５または６セグメント（図２のf1）と前記第２の３，４，５または６セグメント（図２のf2）以外の第３の３，４，５または６セグメント（図２のf3）とにそれぞれの載せ換えた放送波を送信する。
また、（本発明の一実施例の地上放送チャンネルでの４セグメント放送の大きく曲がっていない折線状中継放送の送信する部分セグメント番号の模式図の図２１のように、）地上デジタル放送の１３セグメント中の規定の４つのセグメントに放送データを載せた放送波を中継する中継機において、中継機が受信する放送波は、同じ放送データが規定の４つのセグメントと当該規定の４つのセグメント以外の第１の４つのセグメントとにそれぞれ載せられており、当該中継機は、受信する放送波から規定の４つのセグメント（図２１のf0）の放送データを除去し、当該受信する放送波の第１の４つのセグメント（図２１のf1）の放送データを、規定の４つのセグメント（図２１のf0）と当該規定の４つのセグメント及び第１の４つのセグメント以外の第２の４つのセグメント（図２１のf2）とにそれぞれの載せ換えた放送波を送信する。
【発明の効果】
【００２１】
本発明によれば、周波数（セグメント）を有効活用して、回り込みによる影響を防止した放送波の中継伝送を実現することができる。
【図面の簡単な説明】
【００２２】
【図１】本発明の一実施例の中継伝送の模式図
【図２】本発明の一実施例の中継システムの全体構成図
【図３】本発明の一実施例の中継機のブロック図
【図４】本発明の一実施例の放送データの載せ換え処理の模式図
【図５】本発明の一実施例の放送データの載せ換え処理の模式図
【図６】本発明の一実施例の中継機のブロック図
【図７】本発明の一実施例の放送データの載せ換え処理の模式図
【図８】本発明の一実施例の放送データの載せ換え処理の模式図
【図９】本発明の一実施例の放送データの載せ換え処理の模式図
【図１０】本発明の実施例の放送データの載せ換え処理ブロック図
【図１１】地上デジタル放送の多段中継の模式図
【図１２】地上デジタル放送の信号劣化の模式図。
【図１３】本発明の一実施例の地上放送チャンネルでの５組の２セグメントの２次元中継放送の模式図
【図１４】本発明の一実施例の地上放送チャンネルでの５組の２セグメントの２次元中継放送の模式図
【図１５】本発明の一実施例の地上放送チャンネルでの５組の２セグメントの２次元中継放送の模式図
【図１６】本発明の一実施例の日本のマルチメディア放送の６セグメントの２次元中継放送の模式図
【図１７】本発明の一実施例の地上放送チャンネルでの２次元平面中継放送の送信する部分セグメント番号の模式図
【図１８】本発明の一実施例の地上放送チャンネルでの３セグメント放送の折線状中継放送のセグメントの模式図
【図１９】本発明の一実施例の地上放送チャンネルでの３セグメント放送の折線状中継放送のセグメントの模式図
【図２０】本発明の一実施例の地上放送チャンネルでの３セグメント放送の折線状中継放送の送信する部分セグメント番号の模式図
【図２１】本発明の一実施例の地上放送チャンネルでの４セグメント放送の大きく曲がっていない折線状中継放送の送信する部分セグメント番号の模式図
【発明を実施するための形態】
【００２３】
本発明の特徴は、本発明の１実施例の２次元平面中継放送の中継放送システムの全体ブロック図の図２のように、１次中継局同士が異なる周波数セグメントで送信すること。また、本発明の１実施例の２次元平面中継放送の中継放送機のブロック図の図１のように、中継ＩＤとＧＰＳ位置情報から送信セグメントを決定することである。
図１において、１は送信機、２、３は中継機である。
送信機１において、Ｒ１は衛星放送受信アンテナ、Ｇ１はＧＰＳ受信アンテナ、Ｔ１は中継放送送信アンテナである。また、１４は衛星放送受信部、１５はＧＰＳ受信部、１６は無給電海底光ケーブル等の光受信部、１７，１８は復調部（ＤＥＭ）、１９は多重部（ＭＵＸ）、２０は変調部（ＭＯＤ）、２１は送信部である。
中継機２において、Ｒ２は中継放送受信アンテナ、Ｇ２はＧＰＳ受信アンテナ、Ｔ２は中継放送送信アンテナである。また、６は中継放送受信部、７は復調部（ＤＥＭ）、８は（セグメントを載せ換える）変調部（ＭＯＤ）、９は送信部、１１はＧＰＳ受信部、１２は判定部であるＣＰＵ、１３は多重部（ＭＵＸ）である。
中継機３において、Ｒ３は中継放送受信アンテナ、Ｇ３はＧＰＳ受信アンテナ、Ｔ３は中継放送送信アンテナである。
図２において、１は送信機、2−1、2−2、2−3は１次の中継機（Ａ−１、Ａ−２、Ａ−３）である。3−1、3−2、3−3は３次の中継機（Ｂ−１、Ｂ−２、Ｂ−３）である。4−1、4−2は３次の中継機（Ｃ−１、Ｃ−２）である。５は受信機である。
【００２４】
また、本発明の特徴は、詳細な回線設計を不要とする自動セグメント設定の２次元中継の為に、放送波の中継放送システムにおいて、放送波チャンネルに５Ｎ以上のセグメントがあり、Ｎセグメント放送を５組の部分セグメントとに載せ換えて中継放送し、前段中継放送局のＩＤと前段と自局のＧＰＳ位置情報から送信の部分セグメントを決定する。そして、衛星放送または無給電海底光ケーブル伝送を受信し、規定（の中央）の部分セグメントと第１の部分セグメントを中継放送し、本発明の一実施例の２次元平面中継放送の模式図の図１７の様に、１次中継では円周の約１２０度間隔に上記の中継機を配置する。
つまり、本発明の１実施例の２次元平面中継放送の中継放送システムの全体ブロック図の図２において、１次の中継機2−1、2−2、2−3は主要な島の周囲に約１２０度間隔に配置するのが好ましい。
また、前記第１の部分セグメント受信した中継機は前段より自局が北方向なら前記規定（の中央）の部分セグメントと第２の部分セグメントとに載せ換えて中継放送し、前記第１の部分セグメント受信した中継機は前段より自局が東方向なら前記規定（の中央）の部分セグメントと第３の部分セグメントとに載せ換えて中継放送し、前記第１の部分セグメント受信した中継機は前段より自局が西方向なら前記規定（の中央）の部分セグメントと第４の部分セグメントとに載せ換えて中継放送する。
また、２次中継では、円周の約３０度オフセットさせ約６０度間隔に上記の中継機を配置し、前記第２の部分セグメント受信した中継機は前段より自局が西方向なら前記規定（の中央）の部分セグメントと前記第３の部分セグメントとに載せ換えて中継放送し、前記第２の部分セグメント受信した中継機は前段より自局が東方向なら前記規定（の中央）の部分セグメントと前記第４の部分セグメントを中継放送し、前記第３の部分セグメント受信した中継機は前段より自局が北方向なら前記規定（の中央）の部分セグメントと第２の部分セグメントとに載せ換えて中継放送し、第３の部分セグメント受信した中継機は前段より自局が南方向なら規定（の中央）の部分セグメントと第４の部分セグメントとに載せ換えて中継放送し、前記第４の部分セグメント受信した中継機は前段より自局が南方向なら前記規定（の中央）の部分セグメントと前記第２の部分セグメントとに載せ換えて中継放送し、前記第４の部分セグメント受信した中継機は前段より自局が北方向なら前記規定（の中央）の部分セグメントと前記第３の部分セグメントとに載せ換えて中継放送していく。
また、上記の任意方向を軸とする反転と０度から３６０度までの任意角度での回転でも良い。
【００２５】
また、本発明は、図1７の様に、３次中継では、円周の約１５度オフセットさせ約３０度間隔に上記の中継機を配置し、上記第３の部分セグメント受信した中継機は前段が北東方向で前段より自局が西方向なら上記規定（の中央）の部分セグメントと上記第１の部分セグメントとに載せ換えて中継放送し、上記第３の部分セグメント受信した中継機は前段が北東方向で前段より自局が東方向なら上記規定（の中央）セグメントと上記第２の部分セグメントとに載せ換えて中継放送し、上記第４の部分セグメント受信した中継機は前段が東方向で前段より自局が北方向なら上記規定（の中央）の部分セグメントと上記第３の部分セグメントとに載せ換えて中継放送し、上記第４の部分セグメント受信した中継機は前段が東方向で前段より自局が南方向なら上記規定（の中央）の部分セグメントと上記第１の部分セグメントとに載せ換えて中継放送し、上記第２の部分セグメント受信した中継機は前段が南東方向で前段より自局が東方向なら上記規定（の中央）の部分セグメントと上記第４の部分セグメントとに載せ換えて中継放送し、上記第２の部分セグメント受信した中継機は前段が南東方向で前段より自局が西方向なら上記規定（の中央）の部分セグメントと上記第３の部分セグメントとに載せ換えて中継放送し、上記第３の部分セグメント受信した中継機は前段が南西方向で前段より自局が東方向なら上記規定（の中央）の部分セグメントと上記第１の部分セグメントとに載せ換えて中継放送し、上記第３の部分セグメント受信した中継機は前段が南西方向で前段より自局が西方向なら規定（の中央）の部分セグメントと第２の部分セグメントとに載せ換えて中継放送し、第３の部分セグメント受信した中継機は前段が北東方向で前段より自局が西方向なら上記規定（の中央）の部分セグメントと上記第１の部分セグメントとに載せ換えて中継放送し、上記第３の部分セグメント受信した中継機は前段が北東方向で前段より自局が東方向なら上記規定（の中央）の部分セグメントと上記第２の部分セグメントとに載せ換えて中継放送し、上記第４の部分セグメント受信した中継機は前段が東方向で前段より自局が北方向なら上記規定（の中央）の部分セグメントと上記第３の部分セグメントとに載せ換えて中継放送し、上記第４の部分セグメント受信した中継機は前段が東方向で前段より自局が南方向なら上記規定（の中央）の部分セグメントと上記第１の部分セグメントとに載せ換えて中継放送していく。
ここで、上記の任意方向を軸とする反転と０度から３６０度までの任意角度での回転でも良い。
【００２６】
その結果、図１３から図１５の本発明の一実施例の地上放送チャンネルでの５組の２セグメントの２次元中継放送の模式図や、図１６の本発明の一実施例の日本のマルチメディア放送の６セグメントの２次元中継放送の模式図のように、放送の伝送チャンネル内の５以上の複数の全セグメント中の規定の該全セグメント数の１／５以下の部分セグメントに放送データを載せた放送波を中継する中継機において、中継機が受信する放送波は、同じ放送データが規定の該全セグメント数の１／５以下の部分セグメントと当該規定の該全セグメント数の１／５以下の部分セグメント以外の第１の該全セグメント数の１／５以下の部分セグメントとにそれぞれ載せられており、当該中継機は、受信する放送波から規定の該全セグメント数の１／５以下の部分セグメントの放送データを除去し、当該受信する放送波の第１の該全セグメント数の１／５以下の部分セグメントの放送データを、規定の該全セグメント数の１／５以下の部分セグメントと当該規定の該全セグメント数の１／５以下の部分セグメント及び第１の該全セグメント数の１／５以下の部分セグメント以外の第２の該全セグメント数の１／５以下の部分セグメントとにそれぞれの載せ換えた放送波を送信する。
具体的には、放送の伝送チャンネル内の１３セグメント中１／５以下の２セグメントに放送データを載せた放送波を中継する中継機において、（図1３、図1４または図1５の様に、）中継機が受信する放送波は、同じ放送データが規定（の中央）の２セグメントと第１の２セグメントにそれぞれ載せられており、１次中継は前記第１の２セグメント（図２のf1）を受信し、前記規定（の中央）の２セグメント（図２のf0）と、第２の２セグメント、（図２のf2）第３の２セグメント（図２のf3）または第４の２セグメントとに載せ換えて中継放送し、前段中継放送局のＩＤと前段と自局のＧＰＳ位置情報から送信の２セグメントを決定し、２次中継は、前記第２の２セグメント（図２のf2）を受信した中継機は前記規定（の中央）の２セグメント（図２のf0）と前記第３の２セグメント（図２のf3）または前記規定（の中央）の２セグメント（図２のf0）と前記第４の２セグメントとに載せ換えて中継放送し、前記第３の２セグメント（図２のf3）を受信した中継機は前記規定（の中央）の２セグメント（図２のf0）と前記第２の２セグメント（図２のf2）とに載せ換えて中継放送または前記規定（の中央）の２セグメント（図２のf0）と前記第４の２セグメントとに載せ換えて中継放送し、前記第４の２セグメントを受信した中継機は前記規定（の中央）の２セグメント（図２のf0）と前記第２の２セグメント（図２のf2）または前記規定（の中央）の２セグメント（図２のf0）と前記第３の２セグメント（図２のf3）とに載せ換えて中継放送していく。
【００２７】
また、（マルチメディア放送の207.5〜222MHzまたは90〜108MHzの伝送チャンネル内の３２セグメントまたは４２セグメント等の）３Ｎ以上のセグメント中１／５以下の３，４，５または６セグメントに放送データを載せた放送波を中継する中継機において、（図１６の様に、）中継機が受信する放送波は、同じ放送データが規定の３，４，５または６セグメント（図２のf0）と当該３，４，５または６セグメント以外の第１の３，４，５または６セグメント（図２のf1）とにそれぞれ載せられており、当該中継機は、受信する放送波から規定の３または４セグメント（図２のf0）の放送データを除去し、当該受信する放送波の第１の３，４，５または６セグメント（図２のf1）の放送データを、規定の３，４，５または６セグメント（図２のf0）と前記第１の３，４，５または６セグメント以外の第２の３，４，５または６セグメント（図２のf2）と、規定３，４，５または６セグメント（図２のf0）と前記第１の３，４，５または６セグメントと前記第２の３，４，５または６セグメント以外の第３の３，４，５または６セグメント（図２のf3）とにそれぞれの載せ換えた放送波を送信する。
【００２８】
図１３から図１５の本発明の一実施例の地上放送チャンネルでの5組の2セグメントの２次元中継放送の模式図において、日本や旧ＮＴＳＣ（National  Television  System  Committee）地域等では6MHzを14分割し４２８kHzで13セグメントであり、ＥＵや旧ＰＡＬ（Phase  Alternation  by  Line）地域の大半や旧ＳＥＣＡＭ（Sequential  Couleur  a  Memoire）地域の大半等では７MHzを14分割し500ｋHzで13セグメントであり、インドネシアや旧ＰＡＬ地域の一部や旧ＳＥＣAM地域の一部等ではでは8MHzを14分割し、571kHzで13セグメントである。つまり、チャンネル帯域にセグメント帯域が比例し、セグメント数は１３である。
207.5〜222MHzや90〜108MHzなどのマルチメディア放送では、例えば図１６の本発明の一実施例の日本のマルチメディア放送の６セグメントの２次元中継放送の模式図のように、日本のマルチメディア放送は14.5MHzを４２８kHzで約３３分割し、３２セグメント中3規定（の中央）セグメントを使用したりする。
【００２９】
以下、本発明を、図に示す実施形態に基づいて具体的に説明する。
図１及び図２は、本発明の一実施形態に係る放送波の中継伝送システムを示している。
図１には、多段中継を行なう中継伝送システムの基本的な構成を示してあり、当該中継伝送システムでは、送信機１から送信された放送波を中継機（Ａ）２、中継機（Ｂ）３、・・・を順次中継して伝送する。
【実施例１】
【００３０】
図１の送信機１において、衛星放送受信アンテナＲ１で衛星放送を受信し衛星放送受信部１４で増幅し周波数変換し復調部（ＤＥＭ）１７で衛星放送コンテンツを復調し多重部（ＭＵＸ）１９に送る。また、光受信部６は無給電海底光ケーブルの放送信号を受信し周波数変換し復調部（ＤＥＭ）１８で光ケーブルの放送コンテンツを復調する。ＧＰＳ受信アンテナＧ１でＧＰＳを受信しＧＰＳ受信部１５で送信機１の位置情報を算出し多重部（ＭＵＸ）１９に送る。多重部（ＭＵＸ）１９は衛星放送コンテンツと光ケーブルの放送コンテンツのどちらかの放送コンテンツを選択し送信機１の位置情報と中継ＩＤとして送信機のＩＤを多重し、選択した放送コンテンツと送信機１の位置情報と中継ＩＤとして送信機のＩＤを多重した中継放送コンテンツを変調部（ＭＯＤ）２０に送る。変調部（ＭＯＤ）２０は、各地域の部分セグメント放送方式に準拠して、送信機１の位置情報と中継ＩＤとして送信機のＩＤを多重した中継放送コンテンツを伝送チャンネル内の規定セグメントｆ0と他の第１のセグメントｆ1とに変調する。送信部２１は変調したセグメント（ｆ0、ｆ1）を含む伝送チャンネルを増幅し中継放送送信アンテナＴ１から放送波（ｆ0、ｆ1）として送信する。
【００３１】
また図１の中継機２において、中継放送受信アンテナＲ２で放送波（ｆ0、ｆ1）を受信し中継放送受信部６で増幅し周波数変換し復調部（ＤＥＭ）７で送信機１の位置情報と中継ＩＤとして送信機のＩＤを多重した中継放送コンテンツを復調し、中継放送コンテンツに重畳してあった送信機１の位置情報と中継ＩＤとして送信機のＩＤを分離し判定部であるＣＰＵ１２に送信機１の位置情報と中継ＩＤとして送信機のＩＤを送り、送信機１の位置情報と中継ＩＤとして送信機のＩＤを分離した中継放送コンテンツを多重部（ＭＵＸ）１３に送る。ＧＰＳ受信アンテナＧ２でＧＰＳを受信しＧＰＳ受信部１１で中継機２の位置情報を算出し多重部（ＭＵＸ）１３と判定部であるＣＰＵ１２に中継機２の位置情報を送るに送る。多重部（ＭＵＸ）１３は送信機１の位置情報と中継ＩＤとして送信機のＩＤを分離した中継放送コンテンツに中継機２の位置情報と中継ＩＤとして中継機（Ａ）のＩＤを多重し、中継機２の位置情報と中継ＩＤとして中継機（Ａ）のＩＤを多重した中継放送コンテンツを（セグメントを載せ換える）変調部（ＭＯＤ）８に送る。判定部であるＣＰＵ１２は送信機１の位置情報と中継機２の位置情報から送信するセグメントを規定セグメントｆ0と第１のセグメントｆ1と異なる第２のセグメントｆ2と判定し、セグメントを載せ換える変調部（ＭＯＤ）８に送信するセグメントの情報を送る。セグメントを載せ換える変調部（ＭＯＤ）８各地域の部分セグメント放送方式に準拠して、中継機２の位置情報と中継ＩＤとして中継機（Ａ）のＩＤを多重した中継放送コンテンツを伝送チャンネル内の規定セグメントｆ0と第２のセグメントｆ2に変調する。送信部９は変調したセグメント（ｆ0、ｆ2）を含む伝送チャンネルを増幅し中継放送送信アンテナＴ２から送信する。
【実施例２】
【００３２】
また、この中継電送システムは、伝送チャンネル内の特定のセグメント（規定セグメント：ｆ0）に放送データを載せた放送波を伝送するワンセグ方式の地上デジタル放送波を伝送するものであるが、この放送データの伝送に他のセグメントｆ1、ｆ2、ｆ3、ｆ4も利用する。
このために、送信機１は、複数のセグメント中の規定セグメントｆ0に載せられた放送データを規定セグメントｆ0以外の第１セグメントｆ1にコピーして載せる機能と、規定セグメントｆ0と第１セグメントｆ1とに同じ放送データを載せた放送波（ｆ0、ｆ1）を中継機（Ａ）２へ送信する機能を有している。
また、送信機１からの放送波（ｆ0、ｆ1）を中継する中継機（Ａ）２は、放送波（ｆ0、ｆ1）を受信する受信機能６、受信した放送波（ｆ0、ｆ1）から規定セグメントｆ0の放送データを除去する機能７、受信した放送波（ｆ0、ｆ1）の第１セグメントｆ1の放送データを、規定セグメントｆ0と、当該規定セグメント及び第１セグメント以外の第２セグメントｆ2にそれぞれ載せ換える載せ換え機能８と、規定セグメントｆ0と第２セグメントｆ2とに同じ放送データを載せた放送波（ｆ0、ｆ2）を中継機（Ｂ）３へ送信する送信機能９と、を有している。
したがって、中継機（Ａ）２は、受信放送波（ｆ0、ｆ1）から規定セグメントｆ0の放送データを除去し、第１セグメントｆ1の放送データを規定セグメントｆ0と第２セグメントｆ2にそれぞれ載せ換えた送信放送波（ｆ0、ｆ2）を中継機（Ｂ）３へ送信する。
これにより、送信放送波（ｆ0、ｆ2）の回り込みが生じたとしても、受信放送波（ｆ0、ｆ1）の規定セグメントｆ0ではなく第１セグメントｆ1の放送データが中継伝送されるので、中継機（Ａ）２は放送データを正常に中継伝送することができる。
【００３３】
そして、後段の中継機（Ｂ）３も中継機（Ａ）２と同様な機能を有しており、受信した放送波（ｆ0、ｆ2）から規定セグメントｆ0の放送データを除去し、受信した放送波（ｆ0、ｆ2）の第２セグメントｆ2の放送データを、規定セグメントｆ0と、当該規定セグメント及び第２セグメント以外の第３セグメントｆ3または第３セグメントｆ4にそれぞれ載せ換えた放送波（ｆ0、ｆ3）または（ｆ0、ｆ4）を後段へ送信する。
例えば、放送波がガードインターバル付きのＯＦＤＭ信号である場合には、強い信号を選択受信することができるので、このセグメント（周波数）の任意性は高くなる。
【００３４】
上記のような中継伝送システムにより、例えば、図２に示すような多段中継によるエリア放送を実現することができる。
すなわち、送信機（送信所）１から送信された放送波（ｆ0、ｆ1）を受信した中継機２−１，２−２が放送波（ｆ0、ｆ2）を中継送信し、更に、放送波（ｆ0、ｆ2）を受信した中継機３−１，３−２が放送波（ｆ0、ｆ3）を中継送信し、更に後段の中継機が放送データを載せるセグメントをずらしながら放送波を中継伝送し、また、テレビ受像機などの受信機５が伝送される放送波を受信して放送データによる映像を出力する。
【００３５】
次に、放送データ（コンテンツ）の多段中継について、図３〜図５を参照して更に詳しく説明する。
例えばワンセグサービスを行いたい場合、任意チャンネルのセグメント番号の規定セグメントｆ0でコンテンツを送出する。その際に多段中継用にセグメントｆ0以外の例えばセグメント番号１１のセグメントｆ11にも、セグメント番号ｆ0と同じ信号（コンテンツ）をコピーして発射する。
ここの説明では、この最初の電波発射点から、ワンセグサービスをカバーする領域を親セルといい、親セルの電波を受信し多段中継を行う領域をそれぞれ子セルという。セルの数は、多段中継を行うだけ存在することとなる。
【００３６】
図３には、親セルを成す送信機１０と子セルを成す送信機２０の構成を示してある。
なお、親セル送信機１０は図１に示す送信機１に相当し、子セル送信機２０は図１に示す中継機２に相当する。
また、必要に応じて、多段中継を行なう子セルをそれぞれ区別する場合には子セル１、子セル２、・・・等の番号を付して記載し、これら子セルを総称する場合には子セルＮを記載する。
親セル送信機１０は、地上デジタル放送変調部１１と地上デジタル放送変調部１２、出力合成部１３を有している。
親セル送信機１０にはサービスを行いたいコンテンツが入力され、このコンテンツは地上デジタル放送変調部１１と地上デジタル放送変調部１２に入力される。
地上デジタル放送変調部１１はセグメント番号０の信号として、この出力信号を出力信号合成部１３に送出し、地上デジタル放送変調部１２はセグメント番号０以外の信号として、セグメント番号Ｘ出力信号を出力信号合成部１３に送出する。
出力信号合成部１３は、セグメント番号０出力信号とセグメント番号Ｘ出力信号を含んだ放送波を親セル送信信号として出力する。
なお、上記処理は図４の親セル処理である。
【００３７】
子セルＮ送信機２０は、受信フィルタ部２１、セグメントコピー部２２を有している。
子セルＮ送信機２０は、上位の送信機から伝搬路により受信特性が変化した子セルＮ受信信号として受信する。例えば子セル１送信機は、自分より上位の送信機である親セル送信機１０が発射した親セル送信信号を子セル１受信信号として受信する。このＮの数字は、何段目の子セル送信機かを表しており、何番目であってもよい。
なお、子セルＮ受信信号の処理は、図４及び図５にそれぞれ示してある。
【００３８】
子セルＮ受信機２０は、子セルＮ受信信号を受信フィルタ部２１に入力し、受信フィルタ部２１から受信信号をセグメントコピー部２２に出力する。この受信フィルタ部２１の処理が図４の子セル１処理２である。
セグメントコピー部２２は受信信号のコンテンツをコピーし、子セルＮ送信信号として出力する。このセグメントコピー部２２の処理が図４の子セル１処理３である。
【００３９】
子セル１が発射する子セル１送信信号は、回り込みにより、子セル１自身の受信信号である子セル受信信号として入力される。この時の受信波と送信波の混信の様子が図４の子セル１処理４である。
しかし、後段の受信フィルタ部２１にて、図４の子セル１処理５の処理により、綺麗にワンセグの信号を取り出すことが可能で、回り込みによる発振は発生しない。
【００４０】
このようにして、子セル１送信機が発射した子セル１送信信号を、子セル２送信機が子セル２受信信号として受信し、子セル２出力信号として出力する。
なお、Ｎの数字はいくら増えてもよく、このようにして１，２，３・・・Ｎと子セルを増やし、ワンセグの電波を後段に伝送していく。
【００４１】
上記の処理を図４及び図５を参照して更に詳しく説明する。
例えば子セル１は、親セルから発射した電波を受信する。その様子を図４の子セル１処理１に示す。
続いてセグメント番号１１以外で受信した信号を除去する。その様子を図４の子セル１処理２に示す。
【００４２】
続いてセグメント番号０以外のセグメント番号１１で受信した信号を、セグメント番号０にずらし、また、子セル１より後段のセルにて多段中継を可能にするために、セグメント番号０以外の例えばセグメント番号１２にもコピーして伝送する。その様子を図４内の子セル１処理３に示す。
子セル１が発射した電波は、セグメント番号０と１２であり、親セルから受信する電波はセグメント番号０と１１であるから、子セル１が発射したセグメント番号０の電波は、回り込みにより、子セル１の受信部に混入する。その様子を図４の子セル１処理４に示す。
しかし、子セル１はセグメント番号０の信号を除去するので、回り込みによる影響は発生しない。その様子を図４の子セル１処理５に示す。
【００４３】
親セルで発射したセグメント番号０の信号と子セル１で発射したセグメント番号０の信号は、同じ信号なので親セルと子セル１間はＳＦＮ環境が構築可能で、親セルと子セル１の領域が重なり合っても受信に影響はない。
つまり、ワンセグサービスの受信者は、親セルから子セル１へとセグメント番号０を継続して受信可能である。その様子を図４は示している。
【００４４】
続いて子セル２では、子セル１からのセグメント番号０と１２の信号を受信する。その様子を図５の子セル２処理１に示す。
続いてセグメント番号１２以外の信号を除去する。その様子を図５の子セル２処理２に示す。
そして、セグメント番号１２の信号をセグメント番号０にずらし、また、セグメント番号７にもずらし、セグメント番号０と７にコンテンツを載せた放送波（電波）を発射する。その様子を図５の子セル２処理３に示す。
【００４５】
子セル１と同様に、子セル２でもセグメント番号０では、回り込みにより、子セル１から受信した電波と子セル２で発射した電波が子セル２の受信部に混入する。その様子を図５の子セル２処理４に示す。
しかし、子セル２はセグメント番号１２以外の信号を除去するので、回り込みによる影響は発生しない。その様子を図５の子セル２処理５に示す。
【００４６】
子セル１で発射したセグメント番号０の信号と子セル２で発射したセグメント番号０の信号は、同じ信号なので子セル１と子セル２間はＳＦＮ環境が構築可能で、子セル１と子セル２の領域が重なり合っても受信に影響はない。その処理の流れを図５は示している。
したがって、子セル１から子セル２へとセグメント番号０を継続して受信可能である。遡れば、親セルから子セル１、子セル２へとセグメント番号０を継続して受信可能になる訳である。このように子セルにて隣接するセルと送出するセグメントを変えながら伝送していけば、セルの数Ｎは任意に増やすことが可能になる。セルの数Ｎを任意に増やすことが可能であれば、ワンセグサービスの受信者は親セルから子セルＮまで、継続してワンセグを受信可能になる。
【００４７】
次に、サービスを行いたいコンテンツに加えて、各セル送信機の制御信号も伝送する実施例について説明する。
図６には、親セルを成す送信機１０と子セルを成す送信機２０の構成を示してある。
親セル送信機１０は、地上デジタル放送変調部１１、地上デジタル放送変調部１２、出力合成部１３に加えて、制御信号伝送部１４を有している。
親セル送信機１０にはサービスを行いたいコンテンツが入力され、このコンテンツは地上デジタル放送変調部１１と地上デジタル放送変調部１２に入力される。
【００４８】
地上デジタル放送変調部１１はセグメント番号０の信号として、セグメント番号０出力信号を出力信号合成部１３へ送出し、地上デジタル放送変調部１２はセグメント番号０以外の信号として、セグメント番号Ｘ出力信号を出力信号合成部１３へ送出する。
制御信号伝送部１４は、各セル送信機の制御信号として、制御信号出力信号を出力信号合成部１３へ出力する。
出力信号合成部１３は、セグメント番号０出力信号とセグメント番号Ｘ出力信号と制御信号出力信号を入力し、親セル送信信号を出力する。親セル送信信号が図７の親セル処理である。
【００４９】
子セルN送信機２０は、受信フィルタ部２１、セグメントコピー部２２に加えて、制御信号変更部２３、出力信号合成部２４を有している。
子セルN送信機２０は、上位の送信機から伝搬路により受信特性が変化した子セルＮ受信信号として受信する。例えば子セル１送信機は、自分より上位の送信機である親セル送信機１０が発射した親セル送信信号を子セル１受信信号として受信する。子セルＮ受信信号が図７の子セル１処理１である。
【００５０】
子セルＮ受信機２０は、子セルＮ受信信号を受信フィルタ部２１に入力し、受信信号をセグメントコピー部２２に出力する。受信フィルタ部２１の処理が図７の子セル１処理２である。
セグメントコピー部２２はセグメントをコピーし、子セルＮ送信信号として出力合成部２４へ出力する。
【００５１】
制御信号変更部２３は、制御信号の内容を書き換えても書き換えなくてもよく、受信したセグメントとは異なるセグメントへ周波数をずらし、制御信号出力信号として出力合成部２４へ出力する。
出力合成部２４は、コピー信号と制御信号出力信号を合成し、子セルＮ送信信号として出力する。出力合成部２４の処理が図７内の子セル１処理３である。
【００５２】
子セル１が発射する子セル１送信信号は、回り込みにより、子セル１自身の受信信号である子セル受信信号として子セル１に入力される。この時の受信波と送信波の混信の様子が図７の子セル１処理４である。
しかし、後段の受信フィルタ部２１にて、図４の子セル１処理５と同様な処理により、綺麗にワンセグの信号を取り出すことが可能で、回り込みによる発振は発生しない。
このようにして、子セル１送信機が発射した子セル１送信信号を、子セル２送信機が子セル２受信信号として受信し、子セル２出力信号として出力する。
【００５３】
上記の処理を図７を参照して更に詳しく説明する。
例えばワンセグサービスを行いたい場合、任意チャンネルのセグメント番号０でコンテンツを送出する。その際に多段中継用にセグメント番号０以外の例えばセグメント番号１２にも、セグメント番号０と同じ信号（コンテンツ）をコピーして発射する。それ以外に、セルを効率的に構築するために、各セル送信機が発射するセグメントを制御するためや、送信機のファームウェアの伝送用の信号である制御信号を更に他のセグメント番号（セグメント番号１１）で伝送する。その様子を図７の親セル処理に示す。
【００５４】
子セル１は親セルから発射した電波を受信する。その様子を図７の子セル１処理１に示す。
続いて後段に伝送したいコンテンツのセグメント番号１２と制御用信号のセグメント１１以外で受信した信号を除去する。その様子を図７の子セル１処理２に示す。
続いてセグメント番号０以外のセグメント番号１２で受信した信号をセグメント番号０にずらし、また、子セル１より後段のセルに多段中継を可能にするために、セグメント番号０以外の例えばセグメント番号７にもコピーして伝送する。更に、制御用に伝送する信号をセグメントを１つずらして伝送する。その様子を図７の子セル１処理３に示す。
【００５５】
子セル１が発射した電波は、セグメント番号０、１、７であり、親セルから受信する電波はセグメント番号０、１１、１２であるから、子セル１が発射したセグメント番号０の電波は、回り込みにより、子セル１の受信部に混入する。その様子を図７の子セル１処理４に示す。
しかし、子セル１はセグメント番号０の信号を除去するので回り込みによる影響は発生しない。その様子を図７の子セル１処理５に示す。
親セルで発射したセグメント番号０の信号と子セル１で発射したセグメント番号０の信号は、同じ信号なので親セルと子セル１間はＳＦＮ環境が構築可能で、親セルと子セル１の領域が重なり合っても受信に影響はない。つまり、ワンセグサービスの受信者は、親セルから子セル１へとセグメント番号０を継続して受信可能である。
【００５６】
ここで、ワンセグの除去及び複製の処理を行なうための他の構成例を図８〜図１０を参照して説明する。
ワンセグの除去及び複製の処理を周波数領域に変換して行なうと、ＦＦＴ処理が必要となり、ガードインターバルを超える遅延が生じてＳＦＮが実現困難となることが考えられ
ることから、図８にはワンセグの除去及び複製の処理を時間軸の信号で行なう構成例を示し、図９にはその処理の内容を示してある。
【００５７】
この例では、規定セグメントと第１セグメントとにコンテンツを載せた受信信号（図９のａ）を、アナログ／デジタル変換器３０によりデジタル変換し、この受信信号の規定セグメントに載せられたコンテンツをフィルタ３１により除去する（図９のｂ）。
続いて、フィルタ３１から出力された信号を分岐して、一方の信号には乗算器３２により第１セグメントを規定セグメントに移動する周波数シフトｒｏｔ１を与え（図９のｃ）、他方の信号には乗算器３３により第１セグメントを第２セグメントに移動する周波数シフトｒｏｔ２を与える（図９のｄ）。
【００５８】
そして、これら周波数シフト（変調）された信号を加算器３４により合成し（図９のｅ）、合成された信号をデジタル／アナログ変換器３５によりアナログ変換して送信信号とする。
なお、アナログ信号処理のみを用いた場合には、図１０に示すような構成とすればよい。
【００５９】
ここで、本発明は、直線的或いは平面的に複数の中継機を配置した多段中継システムだけでなく、高さ方向への中継機の配置を含む３次元的な配置構成によるシステム構成とすることもできる。例えば、半径３００ｍ程度の放送範囲のエリア放送では、３００ｍ以上の建物や障害物が存在すると電波伝搬が阻害されるので、中継システムを３次元的な配置構成とするのが好ましい。
【実施例３】
【００６０】
また、本発明は、放送の伝送チャンネル内の全セグメント数の１／３以下のセグメント数の部分セグメント放送の中継にも適用することができる。したがって、地上デジタル放送の各６ＭＨｚを１４分割した内の１３セグメントにおいて、ワンセグ放送だけでなく、３セグ（３セグメント）の所謂デジタルラジオ放送（地上デジタル音声放送）や４セグメントの教育テレビ放送などの部分セグメント放送の中継にも適用することができる。
図１３から図１５の本発明の一実施例の地上放送チャンネルでの5組の2セグメントの２次元中継放送の模式図において、日本や旧ＮＴＳC地域等では6MHzを14分割し４２８kHzで13セグメントであり、ＥＵや旧ＰＡＬ地域の大半や旧ＳＥＣAM地域の大半等では７MHzを14分割し500ｋHzで13セグメントであり、インドネシアや旧ＰＡＬ地域の一部や旧ＳＥＣAM地域の一部等ではでは8MHzを14分割し、571kHzで13セグメントである。つまり、チャンネル帯域にセグメント帯域が比例し、セグメント数は１３である。
さらに、マルチメディア放送等のより広帯域で多セグメントの放送では、例えば207.5〜222MHzの１４．５ＭＨｚの３３分割中の３２セグメントや90〜108MHzの１８ＭＨｚの４２分割中の４１セグメント等の、より多いセグメント数の部分セグメント放送の中継にも適用することができる。例えば図１６の本発明の一実施例の日本のマルチメディア放送の６セグメントの２次元中継放送の模式図のように、日本のマルチメディア放送は14.5MHzを４２８kHzで約３３分割し、３２セグメント中の６セグメントの５組を使用したりする。図示しない、５セグメントの５組、４セグメントの５組または３セグメントの５組を使用しても良い。
また、マルチメディア放送は、ISDB-T に限らず、T-DMB （Terrestrial-Digital  Multimedia  Broadcasting）、DVB-H（Digital Video Broadcasting - Handheld）、MediaFLO でも構わない。
【００６１】
具体的には、放送の伝送チャンネル内の１３セグメント中１／４以下の３セグメントに放送データを載せた放送波を中継する中継機において、図1８または図１９のように、中継機が受信する放送波は、同じ放送データが規定の３セグメントと当該３セグメント以外の第１の３セグメントとにそれぞれ載せられており、当該中継機は、受信する放送波から規定の３セグメントの放送データを除去し、当該受信する放送波の第１の３セグメントの放送データを、規定の３セグメントと前記第１の３セグメント以外の第２の３セグメントとにそれぞれの載せ換えた放送波を送信する。本発明の一実施例の地上放送チャンネルでの3セグメント放送の折線状中継放送の送信する部分セグメント番号の模式図の図２０のようになる。
また、図１６のように、マルチメディア放送の207.5〜222MHzまたは90〜108MHzの伝送チャンネル内の３２セグメントまたは４２セグメント中１／４以下の３，４，５または６セグメントに放送データを載せた放送波を中継する中継機において、中継機が受信する放送波は、同じ放送データが規定の３，４，５または６セグメント（図２のf0）と当該３，４，５または６セグメント以外の第１の３，４，５または６セグメント（図２のf1）とにそれぞれ載せられており、当該中継機は、受信する放送波から規定の３または４セグメント（図２のf0）の放送データを除去し、当該受信する放送波の第１の３，４，５または６セグメント（図２のf1）の放送データを、規定の３，４，５または６セグメント（図２のf0）と前記第１の３，４，５または６セグメント以外の第２の３，４，５または６セグメント（図２のf2）と、規定３，４，５または６セグメント（図２のf0）と前記第１の３，４，５または６セグメント（図２のf1）と前記第２の３，４，５または６セグメント以外の第３の３，４，５または６セグメント（図２のf3）とにそれぞれの載せ換えた放送波を送信する。
【００６２】
さらに、４Ｎ（Ｎは自然数）以上のセグメント中の規定セグメントに放送データを載せた放送波を中継する中継機において、中継機が受信する放送波は、同じ放送データがＮヶの規定（の中央）セグメントとＮヶの第１セグメントにそれぞれ載せられており、１次中継は前記Ｎヶの第１セグメントを受信し、前記Ｎヶの規定（の中央）セグメントと、Ｎヶの第２セグメントまたはＮヶの第３セグメントとに載せ換えて中継放送し、前段中継放送局のＩＤと前段と自局のＧＰＳ位置情報から送信セグメントを決定し、２次中継は、前記Ｎヶの第２セグメントを受信した中継機は前記Ｎヶの規定（の中央）セグメントと前記Ｎヶの第３セグメントまたは前記Ｎヶの規定（の中央）セグメントと前記Ｎヶの第４セグメントとに載せ換えて中継放送し、前記Ｎヶの第３セグメントを受信した中継機は前記Ｎヶの規定（の中央）セグメントと前記Ｎヶの第２セグメントとに載せ換えて中継放送または前記Ｎヶの規定（の中央）セグメントと前記Ｎヶの第４セグメントとに載せ換えて中継放送し、折れ線状に中継放送していく。
具体的には、本発明の一実施例の地上放送チャンネルでの３セグメント放送の折線状中継放送の送信する部分セグメント番号の模式図の図２０のように、放送の伝送チャンネル内の１３セグメント中１／４以下の３セグメントに放送データを載せた放送波を中継する中継機において、図1８または図１９のように、中継機が受信する放送波は、同じ放送データが規定の３セグメント（図２０のf0）と当該３セグメント以外の第１の３セグメント（図２０のf1）とにそれぞれ載せられており、当該中継機は、受信する放送波から規定の３セグメント（図２０のf0）の放送データを除去し、当該受信する放送波の第１の３セグメント（図２０のf1）の放送データを、規定の３セグメント（図２０のf0）と前記第１の３セグメント以外の第２の３セグメント（図２０のf2）とにそれぞれの載せ換えた放送波を送信する。
【００６３】
また、マルチメディア放送の207.5〜222MHzまたは90〜108MHzの伝送チャンネル内の３２セグメントまたは４２セグメント中１／４以下の３，４，５または６セグメントに放送データを載せた放送波を中継する中継機において、図1６のように、中継機が受信する放送波は、同じ放送データが規定の３，４，５または６セグメント（図２のf0）と当該３，４，５または６セグメント以外の第１の３，４，５または６セグメント（図２のf1）とにそれぞれ載せられており、当該中継機は、受信する放送波から規定の３または４セグメント（図２のf0）の放送データを除去し、当該受信する放送波の第１の３，４，５または６セグメント（図２のf1）の放送データを、規定の３，４，５または６セグメント（図２のf0）と前記第１の３，４，５または６セグメント以外の第２の３，４，５または６セグメント（図２のf2）と、規定３，４，５または６セグメント（図２のf0）と前記第１の３，４，５または６セグメント（図２のf1）と前記第２の３，４，５または６セグメント以外の第３の３，４，５または６セグメント（図２のf3）とにそれぞれの載せ換えた放送波を送信する。
【００６４】
また、本発明の一実施例の地上放送チャンネルでの４セグメント放送の大きく曲がっていない折線状中継放送の送信する部分セグメント番号の模式図の図２１のように、４セグメントの教育テレビ放送では、地上デジタル放送の１３セグメント中の規定の４つのセグメントに放送データを載せた放送波を中継する中継機において、中継機が受信する放送波は、同じ放送データが規定の４つのセグメントと当該規定の４つのセグメント以外の第１の４つのセグメントとにそれぞれ載せられており、当該中継機は、受信する放送波から規定の４つのセグメント（図２１のf0）の放送データを除去し、当該受信する放送波の第１の４つのセグメント（図２１のf1）の放送データを、規定の４つのセグメント（図２１のf0）と当該規定の４つのセグメント及び第１の４つのセグメント以外の第２の４つのセグメント（図２１のf2）とにそれぞれの載せ換えた放送波を送信する。
ここで、３セグメント放送も４セグメント放送も、規定のセグメントは放送の伝送チャンネル内の中央で、第１のセグメントと第２のセグメントは放送の伝送チャンネル内の両側が好ましい。
【実施例４】
【００６５】
まず、大型画面の四隅の４ダイバ受信等改良で６４ＱＡＭの距離延長も可能である。したがって、本発明は、携帯端末向け放送等に利用されているワンセグ放送のＱＰＳＫだけではなく、６４ＱＡＭにも適用できる。さらに、有機ＥＬの受像機が商用化されれば、太陽光発電と充電池での大画面受信も容易となる。したがって、本発明は、ワンセグの中継放送だけではなく、ＳＤＴＶや、１０８０／６０ｉ，１０８０／５０ｉ，７２０／６０p，７２０／５０pなどのＨＤＴＶの中継放送にも適用できる。
【００６６】
ここで、図１３から図１５の本発明の一実施例の地上放送チャンネルでの5組の2セグメントの２次元中継放送の模式図において、日本や旧ＮＴＳＣ地域等では６ＭＨｚチャンネルを１４分割し４２８ｋＨｚで１３セグメントであり、ＥＵや旧ＰＡＬ地域の大半や旧ＳＥＣＡＭ地域の大半等では７ＭＨｚチャンネルを１４分割し５００ｋＨｚで１３セグメントであり、インドネシアや旧ＰＡＬ地域の一部や旧ＳＥＣＡＭ地域の一部等では８ＭＨｚチャンネルを１４分割し、５７１ｋＨｚzで１３セグメントである。つまり、チャンネル帯域にセグメント帯域が比例し、セグメント数は１３である。
そして、地上デジタル放送の６４ＱＡＭで３：１：０サンプリングでの必要伝送帯域は、映像符号化技術の進歩で、ＭＰＥＧ−２に対し、Ｈ．２６４で半分、ＨＥＶＣ（High  Efficiency  Video  Codec）で１／４となる。
そのため、１０８０／６０ｉの必要伝送帯域はＭＰＥＧ−２では５．１４ＭＨｚ（１２セグメント）がＨＥＶＣで１．２９ＭＨｚとなる。日本や旧ＮＴＳC地域等の６ＭＨｚチャンネルの４２８ｋＨｚセグメントでは３セグメント１．２９ＭＨｚで伝送できる。
また、１０８０／５０ｉの必要伝送帯域はＭＰＥＧ−２では４．２８５ＭＨｚがＨＥＶＣで１．０７１ＭＨｚとなり、インドネシアや旧ＰＡＬ地域の一部や旧ＳＥＣＡＭ地域の一部等では８ＭＨｚチャンネルの５７１ｋＨｚセグメントなら２セグメントで伝送できる。ＥＵや旧ＰＡＬ地域の大半や旧ＳＥＣＡＭ地域の大半等の７ＭＨｚチャンネルの５００ｋＨｚセグメントでは３セグメント１．５ＭＨｚで伝送できる。
ところで、地上デジタル放送の６４ＱＡＭでＳＤＴＶの必要伝送帯域はＭＰＥＧ−２では１．７１ＭＨｚ（４セグメント）がＨＥＶＣで４２８ｋＨｚとなる。日本の６ＭＨｚチャンネルでもＥＵの７ＭＨｚチャンネルでもインドネシアの８ＭＨｚチャンネルでも１セグメントで伝送できる。
【００６７】
また、１０８０／５０ｉにＬＰＤＣ(Low Density Parity Check/低密度パリティチェック)符号で７ＭＨｚチャンネルの５００ｋＨｚセグメントの２セグメント１ＭＨｚ以下で伝送可能となる。
さらに、１０８０／６０ｉでも偏波ＭＩＭＯ（Multi  In  Multi  Out）なら６ＭＨｚチャンネルの４２８ｋＨｚセグメントの２セグメント８５６ｋＨｚ以下で伝送可能となる。
【００６８】
また、高速通信光ケーブルの損失が下がれば、無給電海底光ケーブルを島々に設置するのも容易になる。したがって、本発明は、衛星放送受信の中継放送だけではなく、光ケーブル受信の中継放送にも適用できる。
【産業上の利用可能性】
【００６９】
本発明によれば、放送の伝送チャンネル内の複数の周波数（セグメント）を有効活用して、回り込みによる影響を防止した中継伝送を実現することができる。さらに、回り込みの影響を受けず、多段中継が可能かつＳＦＮを構築可能な、部分セグメント放送の中継伝送システムを実現することができる。また、多段中継によるエリア放送を高品質に実現することができ、電波を有効的に使用することができる。
【符号の説明】
【００７０】
１：送信機、２、３：中継機、６：中継放送受信部、７：復調部（ＤＥＭ）、
８：（セグメントを載せ換える）変調部（ＭＯＤ）、９：送信部、
１１：ＧＰＳ受信部、１２：判定部（ＣＰＵ）、１３：多重部（ＭＵＸ）、
１４：衛星放送受信部、１５：ＧＰＳ受信部、１６：光受信部、
１７，１８：復調部（ＤＥＭ）、１９：多重部（ＭＵＸ），
２０：変調部（ＭＯＤ）、２１：送信部、
Ｒ１：衛星放送受信アンテナ、Ｒ２，Ｒ３：中継放送受信アンテナ、
Ｇ１，Ｇ２，Ｇ３：ＧＰＳ受信アンテナ、
Ｔ１，Ｔ２，Ｔ３：中継放送送信アンテナ、
f0：規定の部分セグメント、f1：第１の部分セグメント、f2：第２の部分セグメント、
f3：第３の部分セグメント、f4：第４の部分セグメント、
【図１】
2014011563.tif 000003
【図２】
2014011563.tif 000004
【図３】
2014011563.tif 000005
【図４】
2014011563.tif 000006
【図５】
2014011563.tif 000007
【図６】
2014011563.tif 000008
【図７】
2014011563.tif 000009
【図８】
2014011563.tif 000010
【図９】
2014011563.tif 000011
【図１０】
2014011563.tif 000012
【図１１】
2014011563.tif 000013
【図１２】
2014011563.tif 000014
【図１３】
2014011563.tif 000015
【図１４】
2014011563.tif 000016
【図１５】
2014011563.tif 000017
【図１６】
2014011563.tif 000018
【図１７】
2014011563.tif 000019
【図１８】
2014011563.tif 000020
【図１９】
2014011563.tif 000021
【図２０】
2014011563.tif 000022
【図２１】
2014011563.tif 000023